(57)【要約】【課題】無線接続するソース機器を簡単に切り替えることができるシンク機器を提供する。【解決手段】ソース機器と一対一で無線接続するシンク機器は、複数のソース機器を接続候補として登録できる登録部と、シンク機器本体及び／又は前記シンク機器本体を遠隔制御するリモートコントロール送信機に設けられる接続切替用キーと、前記接続切替用キーが操作されると、前記接続切替用キーが操作される前に確立していた無線接続を切断し、前記登録部の登録内容を参照して、前記接続切替用キーが操作される前に確立していた無線接続とは異なる無線接続の確立を試みる制御部とを備える。【選択図】図４
2014042152.tif 000002
【特許請求の範囲】
【請求項１】
ソース機器と一対一で無線接続するシンク機器であって、
複数のソース機器を接続候補として登録できる登録部と、
シンク機器本体及び／又は前記シンク機器本体を遠隔制御するリモートコントロール送信機に設けられる接続切替用キーと、
前記接続切替用キーが操作されると、前記接続切替用キーが操作される前に確立していた無線接続を切断し、前記登録部の登録内容を参照して、前記接続切替用キーが操作される前に確立していた無線接続とは異なる無線接続の確立を試みる制御部とを備えることを特徴とするシンク機器。
【請求項２】
前記接続切替用キーが、接続切替前に前記シンク機器と無線接続されていたソース機器から、接続切替前に前記シンク機器と無線接続されていたソース機器の次に前記登録部に登録されているソース機器に接続を切り替えるための順送り切替キーを含み、
前記制御部は、前記順送り切替キーが操作されたが、前記順送り切替キーが操作される前に確立していた無線接続とは異なる無線接続の確立が失敗した場合に、前記接続切替用キーが操作される前に確立していた無線接続とは異なり、尚且つ、確立に失敗した無線接続とは異なる無線接続の確立を試みる請求項１に記載のシンク機器。
【請求項３】
前記接続切替用キーが直接切替キーを含み、
前記制御部は、前記直接切替キーが操作されると、前記直接切替キーが操作される前に確立していた無線接続を切断し、前記登録部に登録されている前記直接切替キーに対応する特定のソース機器との無線接続の確立を試みる請求項１又は請求項２に記載のシンク機器。
【請求項４】
ソース機器とBluetooth（登録商標）通信を行う請求項１〜３のいずれか１項に記載のシンク機器。
【発明の詳細な説明】
【技術分野】
【０００１】
本発明は、無線通信によってソース機器からデータを受け取るシンク機器に関し、特にソース機器と一対一で無線接続するシンク機器に関する。
【背景技術】
【０００２】
近年、Bluetooth（登録商標）などの近距離無線通信技術を利用して、２つの機器間のデータ送受信をケーブル接続なしで行うことが可能になっている。なお、Bluetooth（登録商標）では、通信を開始する前に、通信を行う機器同士でペアリングと呼ばれる認証作業を行う必要がある。そして、通常、Bluetooth（登録商標）対応の機器は、ペアリングを行った相手方の機器を登録しておく機能を有している（例えば特許文献１参照）。
【先行技術文献】
【特許文献】
【０００３】
【特許文献１】特開２００３−３７６０３号公報
【発明の概要】
【発明が解決しようとする課題】
【０００４】
ここで、例えば、Bluetooth（登録商標）対応のシンク機器１００がBluetooth（登録商標）対応のソース機器２００及び３００を登録している場合に、図１に示す流れのように、現在Bluetooth（登録商標）接続されているシンク機器１００とソース機器２００とのBluetooth（登録商標）接続を切断し、シンク機器１００と別のソース機器３００とをBluetooth（登録商標）接続しようとすることがある。
【０００５】
図１に示す流れを実現しようとすると、従来の技術では、まずソース機器２００に対してシンク機器１００とのBluetooth（登録商標）接続の切断を指示する操作を行って現在Bluetooth（登録商標）接続されているシンク機器１００とソース機器２００とのBluetooth（登録商標）接続を切断し、その後、別のソース機器３００に対してシンク機器１００とのBluetooth（登録商標）接続の確立を指示する操作を行ってシンク機器１００と別のソース機器３００とをBluetooth（登録商標）接続する作業が必要となり、非常に手間がかかる。
【０００６】
本発明は、上記の状況に鑑み、無線接続するソース機器を簡単に切り替えることができるシンク機器を提供することを目的とする。
【課題を解決するための手段】
【０００７】
本発明に係るシンク機器は、ソース機器と一対一で無線接続するシンク機器であって、複数のソース機器を接続候補として登録できる登録部と、シンク機器本体及び／又は前記シンク機器本体を遠隔制御するリモートコントロール送信機に設けられる接続切替用キーと、前記接続切替用キーが操作されると、前記接続切替用キーが操作される前に確立していた無線接続を切断し、前記登録部の登録内容を参照して、前記接続切替用キーが操作される前に確立していた無線接続とは異なる無線接続の確立を試みる制御部とを備える構成とする。
【０００８】
このような構成によると、いちいちソース機器に対してシンク機器との無線接続の切断を指示する操作を行う必要がなくなり、シンク機器の接続切替用キーを操作するだけでシンク機器と無線接続するソース機器を切り替えることができる。したがって、無線接続するソース機器を簡単に切り替えることができる。
【０００９】
また、上記構成のシンク機器において、前記接続切替用キーが、接続切替前に前記シンク機器と無線接続されていたソース機器から、接続切替前に前記シンク機器と無線接続されていたソース機器の次に前記登録部に登録されているソース機器に接続を切り替えるための順送り切替キーを含み、前記制御部は、前記順送り切替キーが操作されたが、前記順送り切替キーが操作される前に確立していた無線接続とは異なる無線接続の確立が失敗した場合に、前記接続切替用キーが操作される前に確立していた無線接続とは異なり、尚且つ、確立に失敗した無線接続とは異なる無線接続の確立を試みる構成にすることが好ましい。
【００１０】
このような構成によると、接続切替前にシンク機器と無線接続されていたソース機器の次に登録部に登録されているソース機器との接続を確立することができない場合に、別のソース機器との接続の確立が試みられるため、利便性が向上する。
【００１１】
また、上記いずれかの構成のシンク機器において、前記接続切替用キーが直接切替キーを含み、前記制御部は、前記直接切替キーが操作されると、前記直接切替キーが操作される前に確立していた無線接続を切断し、前記登録部に登録されている前記直接切替キーに対応する特定のソース機器との無線接続の確立を試みる構成にすることが好ましい。
【００１２】
このような構成によると、接続頻度の高いソース機器を前記直接切替キーに対応する特定のソース機器にすることで、接続頻度の高いソース機器への接続切替が容易になる。
【００１３】
また、上記いずれかの構成のシンク機器において、例えばソース機器とBluetooth（登録商標）通信を行う構成にすればよい。
【発明の効果】
【００１４】
本発明に係るシンク機器によると、いちいちソース機器に対してシンク機器との無線接続の切断を指示する操作を行う必要がなくなり、シンク機器の接続切替用キーを操作するだけでシンク機器と無線接続するソース機器を切り替えることができる。したがって、無線接続するソース機器を簡単に切り替えることができる。
【００１５】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１６】
【図１】Bluetooth（登録商標）接続の切替を示す図である。
【図２】本発明の一実施形態に係るシンク機器の外観斜視図である。
【図３】シンク機器本体の回路ブロック図である。
【図４】登録済みのソース機器に関するデータテーブルを示す図である。
【図５】順送り切替キーが操作された場合のシンク機器の動作を示すフローチャートである。
【図６】直接切替キーが操作された場合のシンク機器の動作を示すフローチャートである。
【発明を実施するための形態】
【００１７】
本発明の実施形態について図面を参照して以下に説明する。
【００１８】
図２は、本発明の一実施形態に係るシンク機器１（以下、シンク機器１という）の外観斜視図である。シンク機器１は、Bluetooth（登録商標）対応の小型スピーカ機器であって、シンク機器本体１０と、シンク機器本体１０を遠隔制御するリモートコントロール送信機２０とによって構成されている。
【００１９】
シンク機器本体１０は、スピーカ１１と、接続切替用キーに属する順送り切替キー１２と、接続切替用キーに属する直接切替キー１３とを備えている。リモートコントロール送信機２０は、電源キー２１と、音量アップキー２２と、音量ダウンキー２３と、接続切替用キーに属する順送り切替キー２４と、接続切替用キーに属する直接切替キー２５とを備えている。
【００２０】
また、図３に示すように、シンク機器本体１０は、Bluetooth（登録商標）通信部１４、増幅部１５、リモートコントロール受光器１６、制御部１７、及びメモリ１８も備えている。
【００２１】
Bluetooth（登録商標）通信部１４は、ソース機器との間でBluetooth（登録商標）通信を行う。
【００２２】
増幅部１５は、Bluetooth（登録商標）通信部１４から出力されるステレオ音声信号を増幅してスピーカ１１に出力する。スピーカ１１は、受け取った増幅ステレオ音声信号に基づく音声を出力する。なお、シンク機器本体１０にＨＤＭＩ端子などの外部入力端子を設け、増幅部１５が、Bluetooth（登録商標）通信部１４から出力される音声信号のみならず、外部入力端子から出力される外部入力音声信号を増幅するようにしてもよい。
【００２３】
リモートコントロール受光器１６は、リモートコントロール送信機２０から送信される赤外線信号を受信してリモートコントロールコードを含む電気信号に変換し、制御部１７に伝送する。
【００２４】
制御部１７は、シンク機器本体１０に設けられている順送り切替キー１２及び直接切替キー１３やリモートコントロール送信機２０に設けられている電源キー２１、音量アップキー２２、音量ダウンキー２３、順送り切替キー２４、及び直接切替キー２５に対するユーザーの操作に応じて、シンク機器本体１０の各部を制御する。メモリ１８は、制御部１７がシンク機器本体１０の各部を制御するために必要な各種のプログラムやデータテーブルなどの情報を格納している。本実施形態においては、メモリ１８は、登録済みのソース機器に関するデータテーブルの一例として、図４に示すデータテーブルを格納しているものとする。登録番号はシンク機器１とペアリングされた順番で付与される。したがって、登録番号１に対応するソース機器はシンク機器１と最初にペアリングされたソース機器である。図４中のパスコードはペアリングの際に付与され得るものであって、自動的に付与される場合、ユーザー操作によって付与される場合、付与されない場合がある。
【００２５】
次に、順送り切替キー１２又は２４が操作された場合のシンク機器１の動作について図５を参照して説明する。なお、図５に示すフロー動作において用いられる変数Ｘと変数Ｙは、制御部１７自身が一時的に記憶してもよく、メモリ１８に格納してもよい。
【００２６】
順送り切替キー１２又は２４が操作されると、シンク機器１は図５に示すフロー動作を開始する。まず、制御部１７は、シンク機器１がすでにソース機器とBluetooth（登録商標）接続されているかを確認する（ステップＳ１０）。
【００２７】
シンク機器１がすでにソース機器とBluetooth（登録商標）接続されていれば（ステップＳ１０のＹＥＳ）、制御部１０は、すでにBluetooth（登録商標）接続されているソース機器とのBluetooth（登録商標）接続を切断するようにBluetooth（登録商標）通信部１４を制御し（ステップＳ２０）、図４に示すデータテーブルを参照して、変数ＸをBluetooth（登録商標）接続を切断したソース機器の登録番号と等しい値とし（ステップＳ３０）、さらに、変数Ｙを変数Ｘに１を加えた値とし（ステップＳ４０）、その後ステップＳ７０に移行する。
【００２８】
一方、シンク機器１がソース機器とBluetooth（登録商標）接続されていない状態であれば（ステップＳ１０のＮＯ）、制御部１０は、変数Ｘを１とし（ステップＳ５０）、さらに、変数Ｙを変数Ｘと等しい値とし（ステップＳ６０）、その後ステップＳ７０に移行する。
【００２９】
ステップＳ７０において、制御部１７は、変数Ｙが登録済みソース機器の登録番号の最大値（本実施形態では“５”）以下であるかを確認する。
【００３０】
変数Ｙが登録済みソース機器の登録番号の最大値以下であれば（ステップＳ７０のＹＥＳ）、制御部１７は、図４に示すデータテーブルを参照して、変数Ｙと同じ値の登録番号に対応するソース機器とのBluetooth（登録商標）接続処理が行われるようにBluetooth（登録商標）通信部１４を制御し（ステップＳ８０）、その後、変数Ｙと同じ値の登録番号に対応するソース機器とのBluetooth（登録商標）接続処理が所定時間内に完了するかを確認する（ステップＳ９０）。変数Ｙと同じ値の登録番号に対応するソース機器とのBluetooth（登録商標）接続処理が所定時間内に完了すれば（ステップＳ９０のＹＥＳ）、Bluetooth（登録商標）接続が切り替わっているので、図５に示すフロー動作を終了する。変数Ｙと同じ値の登録番号に対応するソース機器の電源が入っていない、変数Ｙと同じ値の登録番号に対応するソース機器がBluetooth（登録商標）通信の通信可能領域内に位置していないなどの理由によって、変数Ｙと同じ値の登録番号に対応するソース機器とのBluetooth（登録商標）接続処理が所定時間内に完了しなければ（ステップＳ９０のＮＯ）、制御部１７は、変数Ｙに１を加えた値を新たに変数Ｙの値とし（ステップＳ１００）、その後ステップＳ７０に戻る。
【００３１】
一方、変数Ｙが登録済みソース機器の登録番号の最大値より大きければ（ステップＳ７０のＮＯ）、制御部１７は、変数Ｙの値を１に変更し（ステップＳ１１０）、変数Ｙの値が変数Ｘの値と同一であるかを確認する（ステップＳ１２０）。
【００３２】
変数Ｙの値が変数Ｘの値と同一でなければ（ステップＳ１２０のＮＯ）、制御部１７は、図４に示すデータテーブルを参照して、変数Ｙと同じ値の登録番号に対応するソース機器とのBluetooth（登録商標）接続処理が行われるようにBluetooth（登録商標）通信部１４を制御し（ステップＳ１３０）、その後、変数Ｙと同じ値の登録番号に対応するソース機器とのBluetooth（登録商標）接続処理が所定時間内に完了するかを確認する（ステップＳ１４０）。変数Ｙと同じ値の登録番号に対応するソース機器とのBluetooth（登録商標）接続処理が所定時間内に完了すれば（ステップＳ１４０のＹＥＳ）、Bluetooth（登録商標）接続が切り替わっているので、図５に示すフロー動作を終了する。変数Ｙと同じ値の登録番号に対応するソース機器の電源が入っていない、変数Ｙと同じ値の登録番号に対応するソース機器がBluetooth（登録商標）通信の通信可能領域内に位置していないなどの理由によって、変数Ｙと同じ値の登録番号に対応するソース機器とのBluetooth（登録商標）接続処理が所定時間内に完了しなければ（ステップＳ１４０のＮＯ）、制御部１７は、変数Ｙに１を加えた値を新たに変数Ｙの値とし（ステップＳ１５０）、その後ステップＳ１２０に戻る。
【００３３】
一方、変数Ｙの値が変数Ｘの値と同一であれば（ステップＳ１２０のＹＥＳ）、Bluetooth（登録商標）接続の切り替えによってシンク機器１とBluetooth（登録商標）接続される可能性があったソース機器の全てにおいてBluetooth（登録商標）接続が所定時間内に完了しなかったため、制御部１７は、Bluetooth（登録商標）接続の切り替えが正常に行えなかった旨のエラーを報知するための制御を行い（ステップＳ１６０）、その後図５に示すフロー動作を終了する。ステップＳ１６０におけるエラーの報知方法としては、例えば警告音がスピーカ１１から出力されるようにしてもよく、Bluetooth（登録商標）接続の切り替えが正常に行えなかったことをユーザーに伝える人工音声案内がスピーカ１１から出力されるようにしてもよく、また、シンク機器本体１０やリモートコントロール送信機２０にＬＥＤ等の表示部を設け、表示部の点灯や点滅によってエラーを報知してもよい。また、ステップＳ１６０において、エラーの報知とともに、シンク機器１の状態を図５のフロー開始時の状態に戻すことが望ましい。この場合、ステップＳ２０の処理を実行していれば、変数Ｘと同じ値の登録番号に対応するソース機器とシンク機器１とをBluetooth（登録商標）接続することになる。
【００３４】
図５に示すフロー動作により、いちいちソース機器に対してシンク機器１との無線接続の切断を指示する操作を行う必要がなくなり、ユーザーは、シンク機器１の順送り切替キー１２又は２４を操作するだけでシンク機器１と無線接続するソース機器を切り替えることができる。したがって、無線接続するソース機器を簡単に切り替えることができる。
【００３５】
また、図５に示すフロー動作により、登録されているソース機器の中にBluetooth（登録商標）接続できない状態のものがある場合でも、そのBluetooth（登録商標）接続できない状態のソース機器の次に登録されているソース機器とのBluetooth（登録商標）接続が試みられるため、利便性が向上する。
【００３６】
なお、順送り切替キー１２又は２４が連続して複数回操作された場合、ステップＳ４０が変数Ｙを変数Ｘに連続操作回数を加えた値とするステップに変更され、ステップＳ６０が変数Ｙを変数Ｘに連続操作回数を加え１を引いた値とするステップに変更され、ステップＳ１２０が変数Ｙの値が変数Ｘに連続操作回数を加え１を引いた値と同一であるかを確認するステップに変更されるようにしてもよい。
【００３７】
次に、直接切替キー１３又は２５が操作された場合のシンク機器１の動作について図６を参照して説明する。
【００３８】
直接切替キー１３又は２５が操作されると、シンク機器１は図６に示すフロー動作を開始する。まず、制御部１７は、シンク機器１がすでにソース機器とBluetooth（登録商標）接続されているかを確認する（ステップＳ２１０）。
【００３９】
シンク機器１がすでにソース機器とBluetooth（登録商標）接続されていれば（ステップＳ２１０のＹＥＳ）、制御部１０は、すでにBluetooth（登録商標）接続されているソース機器とのBluetooth（登録商標）接続を切断するようにBluetooth（登録商標）通信部１４を制御し（ステップＳ２２０）、その後ステップＳ２３０に移行する。
【００４０】
一方、シンク機器１がソース機器とBluetooth（登録商標）接続されていない状態であれば（ステップＳ２１０のＮＯ）、直接ステップＳ２３０に移行する。
【００４１】
ステップＳ２３０において、制御部１７は、図４に示すデータテーブルを参照して、操作された直接切替キーと関連付けられている登録番号に対応するソース機器とのBluetooth（登録商標）接続処理が行われるようにBluetooth（登録商標）通信部１４を制御し（ステップＳ２３０）、その後、操作された直接切替キーと関連付けられている登録番号に対応するソース機器とのBluetooth（登録商標）接続処理が所定時間内に完了するかを確認する（ステップＳ２４０）。
【００４２】
操作された直接切替キーと関連付けられている登録番号に対応するソース機器とのBluetooth（登録商標）接続処理が所定時間内に完了すれば（ステップＳ２４０のＹＥＳ）、Bluetooth（登録商標）接続が切り替わっているので、図６に示すフロー動作を終了する。操作された直接切替キーと関連付けられている登録番号に対応するソース機器の電源が入っていない、操作された直接切替キーと関連付けられている登録番号に対応するソース機器がBluetooth（登録商標）通信の通信可能領域内に位置していないなどの理由によって、操作された直接切替キーと関連付けられている登録番号に対応するソース機器とのBluetooth（登録商標）接続処理が所定時間内に完了しなければ（ステップＳ２４０のＮＯ）、制御部１７は、Bluetooth（登録商標）接続するソース機器を、操作された直接切替キーと関連付けられている登録番号に対応するソース機器に切り替えることができなかった旨のエラーを報知するための制御を行い（ステップＳ２５０）、その後図６に示すフロー動作を終了する。ステップＳ２５０におけるエラーの報知方法例は、上述したステップＳ１６０におけるエラーの報知方法例と同様であるので、ここでは説明を省略する。また、ステップＳ２５０において、エラーの報知とともに、シンク機器１の状態を図６のフロー開始時の状態に戻すことが望ましい。この場合、ステップＳ２２０の処理を実行していれば、ステップＳ２２０においてBluetooth（登録商標）接続を切断したソース機器とシンク機器１とをBluetooth（登録商標）接続することになる。
【００４３】
直接切替キー１３又は２５と登録番号との関連付けの方法は特に限定されないが、例えば、直接切替キー１３と関連付けしたい登録番号に対応するソース機器とシンク機器１とがBluetooth（登録商標）接続されている状態において、直接切替キー１３が長押しされると、その直接切替キー１３と関連付けしたい登録番号と直接切替キー１３とが関連付けされるようにすればよい。そして、直接切替キーと登録番号との関連付けに関する情報はメモリ１８に格納されるようにすればよい。
【００４４】
図６に示すフロー動作により、いちいちソース機器に対してシンク機器１との無線接続の切断を指示する操作を行う必要がなくなり、ユーザーは、シンク機器１の直接切替キー１３又は２５を操作するだけでシンク機器１と無線接続するソース機器を切り替えることができる。したがって、無線接続するソース機器を簡単に切り替えることができる。
【００４５】
図６に示すフロー動作により、接続頻度の高いソース機器を直接切替キーと関連付けておくことで、接続頻度の高いソース機器への接続切替が容易になる。
【００４６】
なお、上述した本実施形態とは異なり、シンク機器本体及びリモートコントロール送信機のいずれか一方にのみ接続切替用キーを設けても構わない。また、互いに異なるソース機器との接続切替を行うための複数の直接切替キーをシンク機器本体に設けてもよい。同様に、互いに異なるソース機器との接続切替を行うための複数の直接切替キーをリモートコントロール送信機に設けてもよい。また、シンク機器がリモートコントロール送信機を備えない構成であってもよい。この場合、電源キー、音量アップキー、音量ダウンキーなどを必要に応じてシンク機器本体に設けてもよい。また、本実施形態では、ステレオ音声信号を処理しているが、モノラル音声信号を処理してもよく、ステレオ以外の多チャンネル音声信号を処理してもよい。また、本発明に係るシンク機器はBluetooth（登録商標）対応のスピーカ機器に限定されることはなく、ソース機器と一対一で無線接続するシンク機器全般に本発明を適用することができる。
【符号の説明】
【００４７】
１  本発明の一実施形態に係るシンク機器
１１  スピーカ
１２、２４  順送り切替キー
１３、２５  直接切替キー
１４  Bluetooth（登録商標）通信部
１５  増幅部
１６  リモートコントロール受光器
１７  制御部
１８  メモリ
２０  リモートコントロール送信機
２１  電源キー
２２  音量アップキー
２３  音量ダウンキー
１００  シンク機器
２００、３００  ソース機器
【図１】
2014042152.tif 000003
【図２】
2014042152.tif 000004
【図３】
2014042152.tif 000005
【図４】
2014042152.tif 000006
【図５】
2014042152.tif 000007
【図６】
2014042152.tif 000008